(57)【要約】【課題】商品サイクルの短い日常品を改善するには、時流の物品を選び、世間要望を知った上で改善案を練る。それには、物品案と要望案と改善案の３案を同時に見られるバインダーが欲しい。【解決手段】バインダーの左右両表紙の先端に綴じ具を設けて、日常品改善３資料の用紙を綴じる。１つ目の綴じ具に綴じるのは書き込み専用で、改善すべき日常品を都度写真や絵や文字にして登録できる。２つ目の綴じ具に綴じるのは読み取り専用で、よく聞く日常品改善要望の数々を、予め写真や絵や文字にして掲載している。３つ目の綴じ具に綴じるのも読み取り専用で、日常品の改善要望に沿う改善案を、様々な物品の仕様（形状・性能・操作方法等）や作用（働き・影響等）の中で探すべく、これらを予め写真や絵や文字にして掲載している。以上により、日常品改善するとき、バインダー上に３資料を同時に開いて、様々な改善案を比較検討できる。【選択図】図２
2018149790.tif 000002
【特許請求の範囲】
【請求項１】
バインダーに付帯する用紙綴じ具の設置を、バインダーを左右に大きく開いたときの両先端に、すなわち背表紙と平行なす左側表紙の外縁に１個と、同じく右側表紙の外縁に１個と、合計２個を１冊のバインダーに設置すると共に、
前記綴じ具に綴じる用紙を、左側表紙（または右側表紙）の綴じ具には表紙半サイズの２用紙を綴じ具の上段・下段に綴じ、右側表紙（または左側表紙）の綴じ具には表紙全サイズの１用紙を綴じ、よって１冊のバインダーに３用紙を綴じる、
以上を特徴とする、３用紙を綴じるバインダー
【請求項２】
請求項１において、
左側表紙（または右側表紙）の上段の綴じ具に綴じる用紙を書き込み専用として、製品改善めざす日常品をその都度写真や絵や文字にして次々と書きこんで綴じ、
同下段の綴じ具に綴じる用紙は読み取り専用として、日常品でよく見聞きする製品改善要望の数々を、予め写真や絵や文字にして閲覧可能に綴じ、
一方右側表紙（または左側表紙）の綴じ具に綴じる用紙は読み取り専用として、日常品の製品改善要望に沿う解決案を、数々の日用品の仕様（形状・構造・性能・操作方法等）や作用（働き・影響）の中で探すべく、予めこれらを写真や絵や文字にして閲覧可能に綴じる、
以上の様に、用紙が製品改善資料であることを特徴とする、３用紙を綴じるバインダー
【請求項３】
請求項１において、綴じ具はバインダー中央の背表紙に置く１個とし、かつ綴じる用紙は表紙サイズ１枚としてこれを３分割して、綴じ具の上段・中段・下段に綴じると共に、
請求項２における製品改善３資料を文字主体に内容縮小して、これを前記３分割した用紙に閲覧可能に綴じる、
以上の様に、用紙の製品改善資料が文字主体であることを特徴とする、３用紙を綴じるバインダー
【発明の詳細な説明】
【技術分野】
【０００１】  本発明は、用紙綴じ具を持つバインダーまたはファイルまたは手帳（以下バインダー）に関する二つの技術である。一つ目の技術として、バインダー左右両表紙の先端に綴じ具を置いて、あるいは背表紙に置いて、ここに綴じるルーズリーフ（以下用紙）を３用紙まで可能として、これを自在に閉じまた開くことができる文房具製造の技術である。二つ目の技術は、前記バインダーを使い、前記３用紙を使って、両表紙に日用品の製品改善する３資料を掲載し、これによって開発を目指す人の発案を喚起する方法の技術である。
【背景技術】
【０００２】  従来には、バインダー左右両表紙の先端に３用紙を綴じる技術はなかった。また、バインダーを使って製品改善する方法もなかった。それ等に近い技術を記す。
【先行技術文献】
【０００３】
【特許文献１】公開特許公報（Ａ）昭６２−２５９８９７  ファイル及びファイル方法
【特許文献２】公開実用新案公報（Ｕ）昭６３−７０３８４  ファイル
【特許文献３】公開実用新案公報（Ｕ）平−１４２０７６  ファイリングバインダー
【特許文献４】登録実用新案公報（Ｕ）第３０１７４２５号  ファイル
【特許文献５】登録実用新案公報（Ｕ）第３０６４１２２号  ファイル
【特許文献６】特許公開公報  特開２０１２−２７８８３  実用新案作成システム
【発明の概要】
【発明が解決しようとする課題】
【０００４】  通常の人のバインダー用紙へのメモ利用に次のような課題がある。
Ａ）人がメモしたいことーは、▲１▼仕事上のこと、▲２▼家庭生活のこと、▲３▼趣味や遊びのことなど、最低でも３種類はあるので、それらを分別して書きたい。【０００５】  一方、日常品の製品開発を目指す人が持つ開発メモとして、次のような機能あるものがほしい。
Ｂ）開発案件は次々と出てくるので、これをバインダー内にデータベースとして蓄え、数案を同時進行で開発したい。
Ｃ）日常品開発は「使っている人の改善要望を知る」ことが絶対であり、それらを繰り返し見たい。
Ｄ）我々が使用する日常品には先人の知恵（形状・構造・性能・操作方法等の工夫）がいっぱい詰まっており、それらを繰り返し見てそれに続く開発をしたい。
Ｅ）日常品製品開発に関する各種データを、いつもバインダー内に持ち歩き、電車に乗っている時など、少しの空き時間にも開発を進めたい。
【課題を解決するための手段】
【０００６】  これら二つの課題を解決する手段の基幹となるのは、バインダーに３種類の資料を積むことである。これによって、通常のメモ使用では日々の出来事を３カテゴリー別に記入でき、一方製品開発使用では発案基本３ツールとして活用できる。請求項ごとの手段を要約で述べる。【０００７】  請求項１では、バインダー付帯の綴じ具をバインダー左右先端に設置し、左表紙３に２種類の用紙を綴じ、右表紙２に１種類の用紙を綴じる。【０００８】  請求項２では、請求項１のバインダーに綴じた３用紙を日常品開発向けに、（１）製品改善めざす日常品を次々と書いて綴じる、（２）改善要望の声数々を閲覧用に綴じる、（３）改善要望に沿う解決案数々を閲覧用に綴じる。【０００９】  請求項３では、請求項１におけるバインダー付帯の綴じ具を背表紙に置き、かつ綴じる用紙は表紙サイズを３分割して使うと共に、請求項２における３種類用紙の製品改善内容を文字主体に内容縮小して綴じ、バインダーをコンパクトにする。
【発明の効果】
【００１０】  この発明は、次のような優れた効果を発揮する。
Ａ）バインダーを通常のメモとして使う時、人々がメモしたいことーは、▲１▼仕事上のこと、▲２▼家庭生活のこと、▲３▼趣味や遊びのことなど、最低でも３種類はあるが、それらを分別して書ける。
Ｂ）バインダーを日常品製品改善に使う時、次々と閃くアイディアをバインダーの中にデータベースとして蓄え、数案を同時進行して開発できる。
Ｃ）バインダーを日常品製品改善に使う時、「人々の改善希望」をデータベースとして蓄えており、開発者はバインダー上にこれを繰り返し見て、開発の基本に戻ることができる。
Ｄ）バインダーを日常品製品改善に使う時、日常品の先人工夫（形状・構造・性能・操作方法等）をデータベースとして蓄えており、これらを繰り返し見て開発を加速する。
Ｅ）バインダーを日常品製品改善に使う時、開発案に関する各種データをコンパクト持ち歩きでき、電車に乗っている時など、少しの空き時間にも開発を進められる。
【図面の簡単な説明】
【００１１】
【図１】請求項１の実施例を示す平面図
【図２】請求項２の実施例を示す平面図
【図３】請求項３の、メモ使用時の実施例を示す平面図
【図４】請求項３の、日用品開発使用時の実施例を示す平面図
【発明を実施するための形態】
【００１２】  請求項１の実施形態を、図１を見ながら説明する。当発明ではバインダーの定義を、背表紙１と右表紙２と左表紙３と綴じ具４からなり、使う人がルーズリーフなど用紙に情報を加筆する、または用紙に掲載した情報を入手するなどが可能な、用紙が脱着可能式の文具とする。従来から多くの人がバインダーを便利に使っているが、バインダー内に綴じるのは１種類か、多くても２種類であった。これを、当発明のバインダーは３種類の用紙を綴じる。
【００１３】  また当発明請求項１のバインダーは背表紙１に綴じ具４を設置せず、その取付け位置を、バインダーを左右に広げたときの左右両端に、すなわち背表紙１と並行をなす左表紙３と右表紙２の外縁に綴じ具４を取り付ける。
【００１４】  表紙の外縁に綴じ具４を取り付けるメリットは、見終わったページをバインダーの外にめくり出すので、左右のページが交錯しないことである。
【００１５】  右左両端の外縁に取り付けるので、綴じ具４は２個しか取り付けられない。しかし当発明は一つの工夫をした。それは左表紙３に、表紙を上下二分する形で、バインダー綴じ具４の上方外縁に上段用紙６と、下方外縁に下段用紙８を取り付ける。
【００１６】  この左表紙３の綴じ具４に綴じる２用紙はともに、表紙のほぼ半分サイズである。ほぼ半分とは上下用紙の比率を、標準的な５０％と５０％にするほか、４０％と６０％、３０％と７０％など自在に設定してよい。
【００１７】  一方、右側の右表紙２には、外縁全寸法の綴じ具４を１個設置し、綴じる用紙は表紙と同サイズの全段用紙９を綴じる。
【００１８】こうしてバインダーに３資料が綴じられた。人々がメモしたい、▲１▼仕事上のこと、▲２▼家庭生活のこと、▲３▼趣味や遊びのことなど、分別して書ける。
【００１９】  さらにこの発明の最大メリットは、３用紙を同時に開けることである。例えば使い方を営業マンで考えると、１の用紙に週の活動記録を残し、２の用紙に毎月の実績を記録していけば、３の用紙に実績の年間集計が記入できる。またいずれか１用紙を開いて記録中でも、他の２用紙を同面上に開くことができ、予算の進捗状況などを仔細に比較検討できる。
【００２０】  以上の説明において、左表紙３に２つの用紙を置き右表紙２に１つの用紙を置くと述べたが、場合によりこれらを逆に、すなわち右表紙２に２つの用紙を置き左表紙３に１つの用紙置くことも全く問題ない。このときは用紙の天地を逆にして、各々の用紙綴じ孔１０を逆位置にするだけでよい。
【００２１】  請求項２を、図２を見ながら説明する。請求項２は、請求項１のバインダーに日常品製品開発に使う３資料を記載した用紙を綴じる。
【００２２】  左表紙３の上段の綴じ具４に綴じる資料は書き込み専用であって、改善したいと思う日常品を、その都度写真や絵や文字に次々と書きこんで綴じる。言うまでもなく発明や考案は突然頭に閃くので、身近な日常品で改善すべきものがあったら、次々とこの用紙に綴じる。日常品の製品開発など身近な物の開発は、数種類を同時開発するとよい。第２図の図例では、多くの課題の中から、喫緊の課題として「ソファー」を選んだ。
【００２３】  綴じ具４に綴じる２つ目の資料は読み取り専用に、日常品でよく見聞きする改善要望の数々を、予め写真や絵や文字にして閲覧可能に綴じておく。人々にどんな要望があるか知ると、その解決手段がすこしずつ見えてきて、製品改善を考える大きなヒントになる。
【００２４】  日常品によくある改善要望としては、「もっと小さくしてほしい」や、「もっと軽くしてほしい」や、「掃除するときのこと考えて作ってほしい」や、「収納を考えて作ってほしい」などの我々生活上の要望が数多くある。図例では「高齢者向けを考えてほしい」を選んでいる。
【００２５】  綴じ具４に綴じる３つ目の資料は、読み取り専用に、日常品の改善要望に沿う解決案を、数々の物品の仕様や作用の中で探すべく、予めこれらをカテゴリー別に、写真や絵や文字にして閲覧可能に綴じている。
【００２６】  日常品製品改善の最終着陸点は実用新案であり、実用新案は「物」の形状や構造や組合せに関する考案である。従って、身近にある製品（即ち先人の発明）がベースになり、この３つ目の資料には、先人発明を参考にすべく、身近に良く見る日常品の仕様や作用を、数多く写真や絵や文字で掲載している。
【００２７】  図例では「ソファー」の課題に、「高齢者向けを考えて！」の要望を選びその中の「（高齢者は）よくふらつく」を見たので、製品改善する人はソファーを高齢者が使うとき転ばないためには「何かをつかむ」ことが必要と感じ、数多くの改善案の中から「つかむ・握る」のページに飛び、そこに掲載された写真や絵や文字の数点から「ノブ」を選んだ。
【００２８】  このように、請求項２の３資料の用紙を綴じるバインダーによって、日常品開発すなわち実用新案で言うところの課題解決案を労せずに捻出できる。開発者はソファーのどこに、どのような形状の「ノブ」を付けるか考えていって、商品化など次のステップへ進む。
【００２９】  請求項３を、図３と図４を見ながら説明する。請求項３は図３で示す通り、バインダーにおいて付帯する綴じ具４を１個として、これをバインダー中央の背表紙１に置く。また表紙サイズの用紙１枚を３分割して、綴じ具４の上段と中段と下段に綴じる。
【００３０】  次に図４で示す通り、請求項２における３種類の製品改善資料をほぼ文字資料に内容縮小して、これを３分割用紙上段と中段と下段に綴じる。請求項２では３種類資料が写真や絵や文字で多くの紙面を必要としたが、ここではほぼ文字資料であって小紙面で済む。
【００３１】  このバインダーによって日常品開発するが、資料を縮小しているのでバインダーをコンパクトにでき、外出時などへの持ち歩きが容易となる。
【産業上の利用可能性】
【００３２】  このバインダーは二つの利用がある。一つは日々の生活や活動の記録を３カテゴリーでメモ記録する利用である。パソコンを多用する時代であっても手帳を持つ人は多く、手帳の発展に寄与する。【００３３】  他の一つは日常品の製品開発を目指す人の、発案を促す利用法である。開発を仕事とする人のほか、一般の人もこのバインダーを使えば、物づくり日本に寄与する。
【符号の説明】
【００３４】  １  背表紙                            ２  右表紙
３  左表紙                            ４  綴じ具
５  綴じ具ツメ                        ６  上段用紙
７  中段用紙                          ７´中段用紙の裏面
８  下段用紙                          ８´下段用紙の裏面
９  全段用紙                          ９´全段用紙の裏面
１０  用紙綴じ孔                      １１  省略波線
【図１】
2018149790.tif 000003
【図２】
2018149790.tif 000004
【図３】
2018149790.tif 000005
【図４】
2018149790.tif 000006